(57)【要約】【課題】小剣部に代わる飾り紐を設け、その一部を大剣部の上に表出可能にすることにより、また、更に、結び目の形状に変化を持たせることにより、従来にないデザイン効果を奏する装着容易なネクタイを提供することを課題とする。【解決手段】大剣部１と、予め形作られて前記大剣部１に一体にされた結び目２と、首に回される飾り紐３とから成り、前記結び目２には、前記飾り紐３の両端部の少なくとも一方を縦方向に挿通するための挿通路６を形成し、前記大剣部１には、前記挿通路６に挿通されて引出された前記飾り紐３の端部を差し込む表裏に貫通する一対の差込みスリット４、５を少なくとも１組形成したことを特徴とする。【選択図】図１
0003167220.tif 000002
【実用新案登録請求の範囲】
【請求項１】
大剣部と、予め形作られて前記大剣部に一体にされた結び目と、首に回される飾り紐とから成り、前記結び目には、前記飾り紐の両端部の少なくとも一方を縦方向に挿通するための挿通路を形成し、前記大剣部には、前記挿通路に挿通されて引出された前記飾り紐の端部を差し込む表裏に貫通する一対の差込みスリットを少なくとも１組形成したことを特徴とするネクタイ。
【請求項２】
前記一対のスリットを、複数組縦一列に形成した請求項１に記載のネクタイ。
【請求項３】
前記一対のスリットを２組横並びに配置し、その中間に位置し且つその下側に位置するように、前記一対のスリットを１組配置した請求項１に記載のネクタイ。
【請求項４】
前記飾り紐の端部に抜止め部を設けた請求項１乃至３のいずれかに記載のネクタイ。
【請求項５】
前記飾り紐の一端を、前記結び目に固定した請求項１乃至４のいずれかに記載のネクタイ。
【請求項６】
前記結び目が、一般的方法でネクタイを締めた際にできる形状とは異なる形状に形作られている請求項１乃至５のいずれかに記載のネクタイ。
【請求項７】
前記挿通路の下端を前記結び目の前面側に開口させ、前記結び目の前面側開口から引出された前記飾り紐を前記大剣部の差込みスリットに差込み可能にした請求項１に記載のネクタイ。
【考案の詳細な説明】
【技術分野】
【０００１】
本考案は、ネクタイ、より詳細には、装着が容易でファッション性に富んだネクタイに関するものである。
【背景技術】
【０００２】
一般に、ネクタイの購買者は、その柄や色合いを見てネクタイを選択する。通例、ネクタイの柄や色は全体で統一されていて、その小剣部にも大剣部に準じたデザインが施されるが、小剣部は、装着時には大剣部に隠れて視認できない状態となるので、装着時におけるネクタイの柄や色合いは、大剣部のデザインのみによって決まる。
【０００３】
一方、デザイン性、機能性を重視したネクタイとして、ネクタイの裏側に小物を入れるポケットを設けたもの（特開２００４−１６９１９０号公報）、小剣部が大剣部からはみ出ないような工夫が施されたもの（特開２００３−３１３７１３号公報）、ネクタイ自体がワイシャツに対して曲がったりしないような工夫が施されたもの（特開平８−１８８９１１号公報）等が存するが、それらの基本形状は、いずれも小剣部が大剣部に隠れる一般的な形状のものである。
【０００４】
また、ネクタイは、着用する度に結び目を見た目よく形作ることになるが、それには手間がかかるので、予め結び目を固定的なものとして形作って、装脱を容易にしたネクタイも利用されている。その場合の装着方法としては、結び目に取り付けられたネックバンドを首に回す方法（実開昭６１−１６４２１３号公報、特開２００３−３１３７１３号公報）や、ネックバンドを省略して、結び目にワイシャツの襟元に固定するためのクリップを設置する方法（特開２００６−１３８０３８号公報等）等がある。
【０００５】
これらの簡易着脱式のネクタイは、あくまで、時間的余裕のない出勤前等において、あるいは、学生等が簡易迅速に装着できるようにしたものであって、デザイン上格別の工夫が施されている訳ではないので、外観上は通常のネクタイと何ら変わりがない。
【先行技術文献】
【特許文献】
【０００６】
【特許文献１】実開２００４−１６９１９０号公報
【特許文献２】特開２００３−３１３７１３号公報
【特許文献３】特開平８−１８８９１１号公報
【特許文献４】実開昭６１−１６４２１３号公報
【特許文献５】特開２００３−３１３７１３号公報
【特許文献６】特開２００６−１３８０３８号公報
【考案の概要】
【考案が解決しようとする課題】
【０００７】
本考案は、上記従来のネクタイの現状に鑑みてなされたものであって、小剣部に代わる飾り紐を設け、その一部を大剣部の上に表出可能にすることにより、また、更に、結び目の形状に変化を持たせることにより、従来にないデザイン効果を奏する装着容易なネクタイを提供することを課題とする。
【課題を解決するための手段】
【０００８】
上記課題を解決するための請求項１に係る考案は、大剣部と、予め形作られて前記大剣部に一体にされた結び目と、首に回される飾り紐とから成り、前記結び目には、前記飾り紐の両端部の少なくとも一方を縦方向に挿通するための挿通路を形成し、前記大剣部には、前記挿通路に挿通されて引出された前記飾り紐の端部を差し込む表裏に貫通する一対の差込みスリットを少なくとも１組形成したことを特徴とするネクタイである。
【０００９】
本考案の一実施形態においては、前記一対のスリットが、複数組縦一列に形成され、あるいは、前記一対のスリットが２組横並びに配置され、その中間に位置し且つその下側に位置するように、前記一対のスリットが１組配置される。また、他の実施形態においては、前記飾り紐の端部に抜け止め部が形成され、更に他の実施形態においては、前記飾り紐の一端が結び目に固定され、また、前記結び目が、一般的方法でネクタイを締めた際にできる形状とは異なる形状に形作られる。
【００１０】
更に本考案の一実施形態においては、前記挿通路の下端を前記結び目の前面側に開口させ、前記結び目の前面側開口から引出された前記飾り紐を前記大剣部の差込みスリットに差込み可能にする。
【考案の効果】
【００１１】
本考案に係るネクタイは上記構成であって、小剣部の代わりに飾り紐を備えており、この飾り紐の一部をあえて大剣部の前へ露出させることにより、従来にないファッション性のあるデザインのネクタイとすることができて、着用者の趣好心を十分に満足させ得る効果がある。また、飾り紐を緩めて首に掛けた後、飾り紐を引くだけで簡単且つ迅速に着用できる効果がある。
【図面の簡単な説明】
【００１２】
【図１】本考案に係るネクタイの一実施形態の正面図である。
【図２】本考案に係るネクタイの他の実施形態の正面図である。
【図３】本考案に係るネクタイの更に他の実施形態の正面図である。
【図４】本考案に係るネクタイの更に他の実施形態の正面図である。
【図５】本考案に係るネクタイの更に他の実施形態を示す正面図である。
【考案を実施するための形態】
【００１３】
本考案の好ましい実施の形態につき、添付図面に依拠して説明する。図１は、本考案に係るネクタイの要部構成図であり、該ネクタイ１は、一般のネクタイと同様の、あるいは、他の適宜形状の大剣部１と、大剣部１に一体化される結び目２と、結び目２に挿通される飾り紐３とから成る。一般のネクタイに存する小剣部に相当する構成は、あってもなくてもよい。
【００１４】
大剣部２には、後述するように、飾り紐３を大剣部１の前面に出すための、前面側から後面側に抜ける一対のスリット４、５が１組又は複数組形成される。スリット４、５は飾り紐３の一端部又は両端部を挿通するものであるので、その幅は、飾り紐３の幅に対応するものとされる。スリット４、５に対する飾り紐３の挿脱は反復的に行われるので、スリット４、５の周縁は、ほつれることがないように、ボタン穴のようにかがることが好ましい。
【００１５】
スリット４、５は対をなすもので、通例図１に示すように上下に配置するが、スリット４、５は、必ずしも水平である必要はなく、傾斜するものであってもよい。また、スリット４とスリット５が平行である必要もない。
【００１６】
一対のスリット４、５は図１に示すように、大剣部の上部中央に１組設け、あるいは、図２（Ａ）に示すように、２組、あるいは、２組以上を縦一列に配置してもよい。更に、図２（Ｂ）に示すように、一対のスリット４、５を２組横並びに配置し、その中間部に位置させ且つその下側に位置させて、一対のスリット４、５を１組配置することもある。スリット４、５の間隔は任意で、複数対設ける場合もそれぞれ同間隔である必要はない。
【００１７】
結び目２は、大剣部１の端部を型くずれしないように加工して形作ることとしてもよいし、別体として形作って、後に大剣部１に縫い付ける等によって一体にすることとしてもよい。また、結び目２は、大剣部１と統一のとれた柄及び色としてもよいし、大剣部１と異なった柄及び色としてもよい。結び目２内には、飾り紐３を上下方向に挿通するための挿通路６が形成される。例えば挿通路６は、結び目２の上端部両側に開口していて（挿入開口７、８）、そこから下方に向かい、それぞれ独立してあるいは途中で合流して、結び目２の裏側（又は表側）下部に開口するものとする（引出し開口９）。
【００１８】
結び目２の形状は、一般のネクタイを通常の方法で締めたときにできる逆三角形状としてもよいが、ファッション性を高め、また、使用者の趣好心を満足させるために、他の種々の形状とすることができる。
【００１９】
図３及び図４は、その形状例を示すもので、図３（Ａ）はハート形状にしたものであり、図３（Ｂ）は段付きにしたものであり、図３（Ｃ）は菊の花ビラ状にしたものである。また、図４（Ａ）は、細く巻き絞った形状のものであり、図４（Ｂ）は、コウモリが羽を拡げた如き形状のものである。
【００２０】
飾り紐３の柄や色は、大剣部１と同様のものであっても良いが、その存在をより強調するために、大剣部２とは大きく異なる柄や色のものとしてもよい。
【００２１】
飾り紐３は、一実施形態においては両端がフリーにされ、挿通路６の挿入開口７、８から挿入して挿通路６に通され、引出し開口９から結び目２の裏側に引出される。かくして大剣部１の裏側に垂下する飾り紐３の一方端又は双方端を、一対のスリット４、５の内、上側のスリット４に差し込んで大剣部１の表側に引出し、続いて大剣部１の表側から下側のスリット５に差し込んで、大剣部１の裏側に引出して垂下させる。かくして、飾り紐３の一部がスリット４とスリット５の間において、大剣部１表面上に露出し、ネクタイのファッション性を高める（図１参照）。
【００２２】
図２（Ａ）に示すものは、上記動作を２度行うことにより、飾り紐３を２個所において露出させるものであり、図２（Ｂ）に示すものは、飾り紐３の一方端部を１個所において露出させると共に、その他方端部を２個所において露出させるものである。
【００２３】
上述した実施形態のものにあっては、着用に際し、飾り紐３を挿通路６から少し上方に引き戻すことにより飾り紐３のループを拡げて首を通し、飾り紐３を後襟内に隠した状態で、一方の手で飾り紐３の先端を引きつつ、他方の手で結び目２を持ち上げて襟元に位置させる。
【００２４】
この動作の際に、飾り紐３の端部がスリット４、５から抜けてしまわないようにするために、飾り紐３の先端に抜止め部１０を設けることが好ましい（図１参照）。抜止め部１０は、スリット４、５を通過し得ないサイズであれは、飾り紐３の端部自体を結んだものであってもよいし、また、別部材を取り付けたものであってもよい。この抜止め部１０は、飾り紐３の端部に脱着可能にしてもよい。
【００２５】
図５に示す実施形態は、結び目２に形成される引出し開口９を、結び目２の前面側に設けたものであり、且つ、引出し開口９と上側のスリット４を兼用にしたものである。図５に示す例においては、２対のスリット４、５が縦一列に形成されていることになる。
【００２６】
上記いずれの実施形態の場合においても、飾り紐３の一部が大剣部１の表面上に表われるので、該表出部は、ネクタイのデザイン上大きな要素となり、従来にないファッション性が得られる。また、該表出部それ自体のデザイン、あるいは、それを取り囲む大剣部１のデザインとの組合わせにより、これまた従来にないファッション性が醸し出され、着用者の趣好心を大いに満足させる。
【００２７】
なお、本考案に係るネクタイは、上記のようにして使用することを予定したものではあるが、飾り紐３の一部を表出させない従来と同様の方法にて使用することもでき、その場合においても、スリット４、５は閉じているためにさ程目立たない。また、そのように一般的用法で使用されることを考慮して、スリット４、５を取り込んだデザイン柄とすることも考えられる。
【００２８】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００２９】
１      大剣部
２      結び目
３      飾り紐
４、５  スリット
６      挿通路
７、８  挿入開口
９      引出し開口
１０    抜止め部
【図１】
0003167220.tif 000003
【図２】
0003167220.tif 000004
【図３】
0003167220.tif 000005
【図４】
0003167220.tif 000006
【図５】
0003167220.tif 000007
【手続補正書】
【提出日】平成23年2月3日(2011.2.3)
【手続補正１】
【補正対象書類名】明細書
【補正対象項目名】０００９
【補正方法】変更
【補正の内容】
【０００９】
本考案の一実施形態においては、前記一対のスリットが、複数組縦一列に形成され、あるいは、前記一対のスリットが２組横並びに配置され、その中間に位置し且つその下側に位置するように、前記一対のスリットが１組配置される。また、他の実施形態においては、前記飾り紐の端部に抜け止め部が形成され、更に他の実施形態においては、前記飾り紐の一端が結び目に固定され、また、前記結び目が、逆三角形状以外の形状に形作られる。
【手続補正２】
【補正対象書類名】実用新案登録請求の範囲
【補正対象項目名】請求項６
【補正方法】変更
【補正の内容】
【請求項６】
前記結び目が、逆三角形状以外の形状に形作られている請求項１乃至５のいずれかに記載のネクタイ。